(57)【要約】      （修正有）【課題】セミパーシステントスケジューリング（ＳＰＳ）もしくはグラントフリー（ＧＦ）の通信中において、サービングセルの状態を適切に管理し、正常に通信を行うことができる移動局装置及び通信方法を提供する。【解決手段】基地局装置、および基地局装置から設定された複数サービングセルを同時に用いたキャリアアグリゲーションによって通信を行う移動局装置を少なくとも含む通信システムの移動局装置であって、サービングセルに設定された構成済み上りリンクグラントで示されるタイミングでサービングセルのデアクティベーションタイマの再起動を行う。【選択図】図２
2019140452.tif 000002
【特許請求の範囲】
【請求項１】
基地局装置、および前記基地局装置から設定された複数サービングセルを同時に用いたキャリアアグリゲーションによって通信を行う移動局装置を少なくとも含む通信システムの移動局装置であって、
前記サービングセルに設定された構成済み上りリンクグラントで示されるタイミングで前記サービングセルのデアクティベーションタイマの再起動を行う
ことを特徴とする、移動局装置。
【請求項２】
前記移動局装置はさらに、
前記サービングセルに設定された前記構成済み上りリンクグラントで示されるタイミングで上りリンクデータの送信を行った場合に、
前記サービングセルの前記デアクティベーションタイマの再起動を行うことを特徴とする、請求項１記載の移動局装置。
【請求項３】
基地局装置、および前記基地局装置から設定された複数サービングセルを同時に用いたキャリアアグリゲーションによって通信を行う移動局装置を少なくとも含む通信システムの移動局装置であって、
構成済み上りリンクグラントが前記サービングセルに設定された場合に前記サービングセルのデアクティベーションタイマを停止し、
前記構成済み上りリンクグラントが解放された場合に前記サービングセルのデアクティベーションタイマを再起動する
ことを特徴とする、移動局装置。
【請求項４】
前記移動局装置はさらに、
前記構成済み上りリンクグラントのアクティベーションを行う下り制御信号を前記基地局装置から受信した場合に、
前記サービングセルのデアクティベーションタイマを停止することを特徴とする、請求項３記載の移動局装置。
【請求項５】
前記移動局装置はさらに、
前記構成済み上りリンクグラントのデアクティベーションを行う下り制御信号を前記基地局装置から受信した場合に、
前記サービングセルのデアクティベーションタイマを起動することを特徴とする、請求項３記載の移動局装置。
【請求項６】
基地局装置、および前記基地局装置から設定された複数サービングセルを同時に用いたキャリアアグリゲーションによって通信を行う移動局装置を少なくとも含む通信システムの移動局装置であって、
前記サービングセルに設定された構成済み下りリンクアサインメントで示されるタイミングで前記サービングセルのデアクティベーションタイマの再起動を行う
ことを特徴とする、移動局装置。
【請求項７】
前記移動局装置はさらに、
前記サービングセルに設定された前記構成済み下りリンクアサインメントで示されるタイミングで下りリンクデータの受信を行った場合に、
前記サービングセルのデアクティベーションタイマの再起動を行うことを特徴とする、請求項６記載の移動局装置。
【請求項８】
基地局装置、および前記基地局装置から設定された複数サービングセルを同時に用いた
キャリアアグリゲーションによって通信を行う移動局装置を少なくとも含む通信システムの移動局装置であって、
構成済み下りリンクアサインメントが前記サービングセルに設定された場合に前記サービングセルのデアクティベーションタイマを停止し、
前記構成済み下りリンクアサインメントが解放された場合に前記サービングセルのデアクティベーションタイマを起動する
ことを特徴とする、移動局装置。
【発明の詳細な説明】
【技術分野】
【０００１】
本発明は、基地局装置、移動局装置およびその通信方法に関する。
【背景技術】
【０００２】
従来より、標準化団体３ＧＰＰ（３ｒｄ  Ｇｅｎｅｒａｔｉｏｎ  Ｐａｒｎｅｒｓｈｉｐ  Ｐｒｏｊｅｃｔ）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（「ＥＵＴＲＡ」もしくは「ＬＴＥ」とも呼称される）と、更にその発展形である第４世代の移動通信方式であるＡｄｖａｎｃｅｄ  ＥＵＴＲＡ（「ＬＴＥ−Ａｄｖａｎｃｅｄ」もしくは「ＬＴＥ−Ａ」とも呼称される）の仕様規格化が行われ、それを利用した移動体通信の商用化が各国で行われている（非特許文献１）。また近年、３ＧＰＰでは第５世代移動通信方式の技術の検討および仕様規格化が進んでいる（非特許文献２）。
【０００３】
スケジューリング（通信リソース割り当て）技術の一つとして、セミパーシステントスケジューリング（ＳＰＳ：Ｓｅｍｉ−Ｐｅｒｓｉｓｔｅｎｔ  Ｓｃｈｅｄｕｌｉｎｇ）による通信リソースの周期的な割り当て方法がある。これは、サブフレーム毎に通信リソースの割り当てを上りリンクグラントまたは下りリンクアサインメントと呼ばれるシグナリングで行うダイナミックスケジューリングとは異なり、予め決められた設定（時間間隔、変調方式、開始タイミング、繰り返し回数など）で通信リソースの割り当てを行うことにより上りリンクグラントおよび下りリンクアサインメントを省くことができ、制御信号によるオーバヘッドを少なくして効率的な通信を可能とする技術である。ＳＰＳは従来のＬＴＥおよびＬＴＥ−Ａｄｖａｎｃｅｄでも採用されており、音声サービスなどリアルタイム性を要求される通信に利用されてきたが、第５世代移動通信方式でもＳＰＳのさらなる進化を目的とした検討および仕様規格化が進んでいる。また、上りリンクのＳＰＳを応用し、基地局装置から移動局装置に対して割り当てられる上りリンクグラントがなくても、移動局装置から基地局装置に上りリンクデータ送信が可能となる上りリンクグラントフリー（ＧＦ：Ｇｒａｎｔ  Ｆｒｅｅ）による通信方式についても、検討および仕様規格化が進んでいる。
【先行技術文献】
【非特許文献】
【０００４】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 14)"  3GPP TS 36.300 V14.3.0 (2017-06)
【非特許文献２】"3rd Generation Partnership Project; Technical Specification Group Radio Access Network; NR; NR and NG-RAN Overall Description; Stage 2 (Release 15)"  3GPP TS 38.300 V2.0.0 (2017-12)
【発明の概要】
【発明が解決しようとする課題】
【０００５】
ＳＰＳもしくはＧＦの通信中において、サービングセルの状態が適切に管理されない場合があると、通信異常が発生するなどの懸念がある。
【０００６】
本発明はこのような事情を鑑みてなされたものであり、その目的は、ＳＰＳもしくはＧＦの通信中においても、サービングセルの状態を適切に管理し、正常に通信を行うことができる移動局装置及び通信方法を提供することにある。
【課題を解決するための手段】
【０００７】
（１）この発明は上述した課題を解決するためになされたもので、本発明の一態様による基地局装置、および前記基地局装置から設定された複数サービングセルを同時に用いたキャリアアグリゲーションによって通信を行う移動局装置を少なくとも含む通信システムの移動局装置であって、前記サービングセルに設定された構成済み上りリンクグラントで示されるタイミングで前記サービングセルのデアクティベーションタイマの再起動を行う。
【０００８】
（２）また、本発明の一態様による移動局装置は上記の移動局装置であって、前記サービングセルに設定された前記構成済み上りリンクグラントで示されるタイミングで上りリンクデータの送信を行った場合に、前記サービングセルの前記デアクティベーションタイマの再起動を行う。
【０００９】
（３）また、本発明の一態様による基地局装置、および前記基地局装置から設定された複数サービングセルを同時に用いたキャリアアグリゲーションによって通信を行う移動局装置を少なくとも含む通信システムの移動局装置であって、構成済み上りリンクグラントが前記サービングセルに設定された場合に前記サービングセルのデアクティベーションタイマを停止し、前記構成済み上りリンクグラントが解放された場合に前記サービングセルのデアクティベーションタイマを再起動する。
【００１０】
（４）また、本発明の一態様による移動局装置は上記の移動局装置であって、前記構成済み上りリンクグラントのアクティベーションを行う下り制御信号を前記基地局装置から受信した場合に、前記サービングセルのデアクティベーションタイマを停止する。
【００１１】
（５）また、本発明の一態様による移動局装置は上記の移動局装置であって、前記構成済み上りリンクグラントのデアクティベーションを行う下り制御信号を前記基地局装置から受信した場合に、前記サービングセルのデアクティベーションタイマを起動する。
【００１２】
（６）また、本発明の一態様による基地局装置、および前記基地局装置から設定された複数サービングセルを同時に用いたキャリアアグリゲーションによって通信を行う移動局装置を少なくとも含む通信システムの移動局装置であって、前記サービングセルに設定された構成済み下りリンクアサインメントで示されるタイミングで前記サービングセルのデアクティベーションタイマの再起動を行う。
【００１３】
（７）また、本発明の一態様による移動局装置は上記の移動局装置であって、  前記サービングセルに設定された前記構成済み下りリンクアサインメントで示されるタイミングで下りリンクデータの受信を行った場合に、前記サービングセルのデアクティベーションタイマの再起動を行う。
【００１４】
（８）また、本発明の一態様による基地局装置、および前記基地局装置から設定された複数サービングセルを同時に用いたキャリアアグリゲーションによって通信を行う移動局装置を少なくとも含む通信システムの移動局装置であって、構成済み下りリンクアサインメントが前記サービングセルに設定された場合に前記サービングセルのデアクティベーションタイマを停止し、
前記構成済み下りリンクアサインメントが解放された場合に前記サービングセルのデアクティベーションタイマを起動する。
【発明の効果】
【００１５】
この発明によれば、ＳＰＳもしくはＧＦの通信中においても、サービングセルの状態を適切に管理し、正常に通信を行うことができる。
【図面の簡単な説明】
【００１６】
【図１】本発明の一態様における、移動局装置内のＭＡＣエンティティの構成の一例を示す図である。
【図２】本発明の一態様における、ＵＬ−ＳＰＳに適用した場合の、各時間における基地局装置と移動局装置のメッセージおよびデータの送受信の流れと、ｓＣｅｌｌデアクティベーションタイマの管理方法の一例を示す図である。
【図３】本発明の一態様における、ＵＬ−ＳＰＳに適用した場合の、各時間における基地局装置と移動局装置のメッセージおよびデータの送受信の流れと、ｓＣｅｌｌデアクティベーションタイマの管理方法の一例を示す図である。
【図４】本発明の一態様における、ＧＦに適用した場合の、基地局装置と移動局装置のメッセージおよびデータの送受信の流れと、ｓＣｅｌｌデアクティベーションタイマの管理方法の一例を示す図である。
【図５】本発明の一態様における、ＧＦに適用した場合の、基地局装置と移動局装置のメッセージおよびデータの送受信の流れと、ｓＣｅｌｌデアクティベーションタイマの管理方法の一例を示す図である。
【図６】本発明の一態様における、ＵＬ−ＳＰＳ通信中にｓＣｅｌｌデアクティベーションタイマを停止する場合において、基地局装置と移動局装置のメッセージおよびデータの送受信の流れと、ｓＣｅｌｌデアクティベーションタイマの管理方法の一例を示す図である。
【図７】本発明の一態様における、ＧＦ通信中にｓＣｅｌｌデアクティベーションタイマを停止する場合において、基地局装置と移動局装置のメッセージおよびデータの送受信の流れと、ｓＣｅｌｌデアクティベーションタイマの管理方法の一例を示す図である。
【図８】本発明の一態様における、ＤＬ−ＳＰＳに適用した場合の、基地局装置と移動局装置のメッセージおよびデータの送受信の流れと、ｓＣｅｌｌデアクティベーションタイマの管理方法の一例を示す図である。
【図９】本発明の一態様における、ＤＬ−ＳＰＳに適用した場合の、基地局装置と移動局装置のメッセージおよびデータの送受信の流れと、ｓＣｅｌｌデアクティベーションタイマの管理方法の一例を示す図である。
【図１０】本発明の一態様における、ＤＬ−ＳＰＳ通信中にｓＣｅｌｌデアクティベーションタイマを停止する場合において、基地局装置と移動局装置のメッセージおよびデータの送受信の流れと、ｓＣｅｌｌデアクティベーションタイマの管理方法の一例を示す図である。
【発明を実施するための形態】
【００１７】
（第１の実施形態）
以下、図面を参照して、本発明の一態様である第１の実施形態について説明する。図１は本実施形態における移動局装置内のＭＡＣエンティティの構成の一例である。図１において、１０１は制御部であり、すべての構成部を制御する。１０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。１０３は上りリンクＰＤＵ（Ｐｒｏｔｏｃｏｌ  Ｄａｔａ  Ｕｎｉｔ）構成部であり、論理チャネルを通じて受信した上位レイヤからの上りリンク送信データにヘッダ付加や、複数の論理チャネルのデータの結合などを行い、上りリンクＰＤＵを構成する。１０４は送信処理部であり、上りリンクＰＤＵ構成部１０３が作成した上りリンクＰＤＵに誤り訂正符号化処理や変調処理などを行い、上りリンクリソース管理部１０６から指示された上りリンク物理リソースにマッピングを行う。１０５はサービングセル状態管理部であり、移動局装置に割り当てられているすべてのサービングセルに関する状態を管理する。上りリンクリソース管理部１０６は、基地局装置から割り当てられた上りリンク物理リソースの管理を行い、上りリンクＰＤＵと上りリンク物理リソースのマッピングの制御を行う。受信処理部１０７は、無線インタフェース部１０９からの受信信号に対して復調や誤り訂正符号の復号を行い、下りリンクＰＤＵの再構成を行う。下りリンクＰＤＵ分離部１０８は、受信処理部１０７から受信した下りリンクＰＤＵから一つもしくは複数のデータに分離し、ユーザデータや制御データは上位レイヤインタフェース部１０２を介して上位レイヤに送り、ＣＥ（Ｃｏｎｔｒｏｌ  Ｅｌｅｍｅｎｔ）データは制御部１０１に送る。１１０は下りリンクリソース管理部であり、基地局装置から割り当てられた下りリンク物理リソースの管理を行う。無線インタフェース部１０９は、基地局装置と無線信号の送受信を行う。
【００１８】
ダイナミックスケジューリングの上りリンクグラントをダイナミックグラントと呼称するのに対して、上りリンクのＳＰＳおよびＧＦの上りリンクグラントは、予め決められた設定に従って通信リソースの割り当てを行うという意味合いから、構成済みグラントもしくは構成済み上りリンクグラントと呼称される。同様に、下りリンクＳＰＳでは、構成済みアサインメントもしくは構成済み下りリンクアサインメントと呼称される。３ＧＰＰの第５世代移動体通信方式の仕様規格化においては、上りリンクＳＰＳとＧＦおよび下りリンクＳＰＳを合わせて「Ｔｒａｎｓｍｉｓｓｉｏｎ／Ｒｅｃｅｐｔｉｏｎ  ｗｉｔｈｏｕｔ  ｄｙｎａｍｉｃ  ｓｃｈｅｄｕｌｉｎｇ」と呼称し、下りリンクのＳＰＳを「ＤＬ−ＳＰＳ」、ＧＦおよび上りリンクのＳＰＳをそれぞれ「ｃｏｎｆｉｇｕｒｅｄ  ｇｒａｎｔ  Ｔｙｐｅ  １」、「ｃｏｎｆｉｇｕｒｅｄ  ｇｒａｎｔ  Ｔｙｐｅ  ２」と呼称する方向で仕様規格化が進められている。なお、以下の説明においては、便宜的に「ｃｏｎｆｉｇｕｒｅｄ  ｇｒａｎｔ  Ｔｙｐｅ  １」をＧＦ、「ｃｏｎｆｉｇｕｒｅｄ  ｇｒａｎｔ  Ｔｙｐｅ  ２」をＵＬ−ＳＰＳ、下りリンクのＳＰＳをＤＬ−ＳＰＳと記載する。
【００１９】
ＬＴＥおよびＬＴＥ−Ａでは、ＵＬ−ＳＰＳおよびＤＬ−ＳＰＳの設定はスペシャルセル（ＳｐＣｅｌｌ）と呼ばれるプライマリセル（ＰＣｅｌｌ）およびプライマリセカンダリセル（ＰＳＣｅｌｌ）上にのみ設定が許可されていたが、３ＧＰＰの第５世代通信方式仕様においては、セカンダリセル（ＳＣｅｌｌ）上にもＤＬ−ＳＰＳ、ＵＬ−ＳＰＳおよびＧＦの設定ができるようになった。セカンダリセルはネットワークによりアクティブ状態・非アクティブ状態を制御され、非アクティブ状態では送受信ともに行われない。セカンダリセルをアクティブ状態にするアクティベーション、および非アクティブ状態にするデアクティベーションは、基地局装置から移動局装置に送信されるＳＣｅｌｌ  Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔ（ＣＥ）によって指示される。さらに、各セカンダリセルにはｓＣｅｌｌデアクティベーションタイマ（ｓＣｅｌｌＤｅａｃｔｉｖａｔｉｏｎＴｉｍｅｒ）が設定される。ｓＣｅｌｌデアクティベーションタイマは、そのセカンダリセルのアクティベーションまたはデアクティベーションを指示するＳＣｅｌｌ  Ａｃｔｉｖａｔｉｏｎ／Ｄｅａｃｔｉｖａｔｉｏｎ  ＭＡＣ  ＣＥを基地局装置から受信した場合に起動もしくは再起動される。また、そのセカンダリセルのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合や、他のサービングセルのＰＤＣＣＨでそのセカンダリセルに関する上りリンクグラントや下りリンクアサインメントを受信した場合にも再起動される。また、ｓＣｅｌｌデアクティベーションタイマが満了した場合、それが設定されているセカンダリセルはデアクティベートされ、次にアクティベートされるまで、上りリンク上での制御信号とデータ送信、および下りリンク上での制御信号とデータ受信は一切行われなくなる。
【００２０】
なお、サービングセル上に複数のＢＷＰ（Ｂａｎｄｗｉｄｔｈ  Ｐａｒｔ）が設定された場合、デフォルトの下りリンクＢＷＰ（デフォルトの下りリンクＢＷＰが設定されない場合は初期下りリンクＢＷＰ）以外の下りリンクＢＷＰがアクティブ状態のときは、ＢＷＰインアクティビティタイマ（ｂａｎｄｗｉｄｔｈＰａｒｔＩｎａｃｔｉｖｉｔｙＴｉｍｅｒ）が設定および起動される。ＢＷＰインアクティビティタイマはそれが設定されているアクティブ下りリンクＢＷＰのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合に再起動されるが、他のサービングセルのＰＤＣＣＨでそのアクティブ下りリンクＢＷＰに関する上りリンクグラントや下りリンクアサインメントを受信した場合には再起動は行われない。また、ＢＷＰインアクティビティタイマが満了した場合、それが設定されている下りリンクＢＷＰからデフォルトの下りリンクＢＷＰ（デフォルトの下りリンクＢＷＰが設定されない場合は初期下りリンクＢＷＰ）にスイッチされ、そのサービングセル上での通信は継続される。なお、ＢＷＰは上りリンクと下りリンクでそれぞれ設定されるが、上りリンクＢＷＰと下りリンクＢＷＰは１対１でペアリングされ、下りリンクのＢＷＰのスイッチが行われると、それにペアリングされている上りリンクのＢＷＰもスイッチされる。
【００２１】
しかしながら、セカンダリセルにＤＬ−ＳＰＳ、ＵＬ−ＳＰＳまたはＧＦが設定され、それらによる通信がアクティベートされている場合、それらに関する上りリンクグラントや下りリンクアサインメントをＰＤＣＣＨで移動局装置が受信することはなくｓＣｅｌｌデアクティベーションタイマが再起動されないため、通信中にｓＣｅｌｌデアクティベーションタイマが満了し、セカンダリセルがデアクティベートされ、通信ができなくなる懸念がある。
【００２２】
本発明は前記課題に鑑み、ＤＬ−ＳＰＳ、ＵＬ−ＳＰＳまたはＧＦがセカンダリセルに設定され、それらによる通信中においても、意図しないセカンダリセルのデアクティベートを防止するための方策を講じる。
【００２３】
図２を用いて、本発明の一態様として、ＵＬ−ＳＰＳに適用した場合の、各時間における基地局装置と移動局装置のメッセージおよびデータの送受信の流れと、ｓＣｅｌｌデアクティベーションタイマの管理方法の例を説明する。まず、時間ｔ０１にてＳＣｅｌｌのアクティベートを指示するメッセージｍ２０１（ＳＣｅｌｌ  Ａｃｔｉｖａｔｉｏｎ／Ｄｅａｃｔｉｖａｔｉｏｎ  ＭＡＣ  ＣＥ）が基地局装置から移動局装置に送信される。メッセージｍ２０１を受信した移動局装置は、ＳＣｅｌｌをアクティベートし、ｓＣｅｌｌデアクティベーションタイマを起動する。次に、時間ｔ０２にてＳＣｅｌｌにＵＬ−ＳＰＳを追加設定するためのメッセージｍ２０２（ＲＲＣ  Ｒｅｃｏｎｆｉｇｕｒａｔｉｏｎ）が基地局装置から移動局装置に送信される。メッセージｍ２０２を受信した移動局装置は、ＳＣｅｌｌ上にＵＬ−ＳＰＳを構成するための処理を行い、時間ｔ０３でメッセージｍ２０２の応答メッセージｍ２０３（ＲＲＣ  Ｒｅｃｏｎｆｉｇｕｒａｔｉｏｎ  Ｃｏｍｐｌｅｔｅ）を基地局装置に送信する。次に時間ｔ０４にて、ＳＣｅｌｌ上に設定されたＵＬ−ＳＰＳをアクティベートするためのレイヤ１下りリンク制御情報ｍ２０４が基地局装置から移動局装置に送信される。レイヤ１下りリンク制御情報ｍ２０４を受信した移動局装置は、ＵＬ−ＳＰＳの構成済み上りリンクグラントをアクティベートし、時間ｔ０５にて応答メッセージｍ２０５（Ｃｏｎｆｉｇｕｒｅｄ  Ｇｒａｎｔ  Ｃｏｎｆｉｒｍａｔｉｏｎ  ＭＡＣ  ＣＥ）を基地局装置に送信する。なお、メッセージｍ２０２からｍ２０５までの送受信タイミング（ｔ０２からｔ０５まで）において、ｓＣｅｌｌデアクティベーションタイマの再起動を行ってもよい。そして、メッセージｍ２０２で設定されたタイミング（ｔ１０、ｔ１１、ｔ１２、ｔ１３）で構成済み上りリンクグラントが発生する。なお、図２ではｔ１３までしか記載していないが、ｔ１３以降も次にＵＬ−ＳＰＳがデアクティベートされるまで構成済み上りリンクグラントの発生は継続する。移動局装置は、構成済み上りリンクグラントが発生したら、ｓＣｅｌｌデアクティベーションタイマを再起動する。そして、時間ｔ５０にて基地局装置がＳＣｅｌｌをデアクティベートするメッセージｍ２１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ２１０を受信した移動局装置は、ＳＣｅｌｌのデアクティベートを行い、ｓＣｅｌｌＤｅａｃｔｉｖａｔｉｏｎＴｉｍｅｒを停止する。
【００２４】
なお、図３で示すように、構成済み上りリンクグラントが発生し、かつ基地局装置に上りリンクデータ送信（メッセージｍ２０６）を行ったタイミング（ｔ１２）でのみｓＣｅｌｌデアクティベーションタイマを再起動してもよい。また、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ、Ｃｏｎｆｉｇｕｒｅｄ  Ｇｒａｎｔ  Ｃｏｎｆｉｒｍａｔｉｏｎ  ＭＡＣ  ＣＥ）はこれに限るものではなく、同等の動作を指示したり応答する内容のメッセージであれば、それらを使用してもよい。
【００２５】
以上説明したとおり、本発明の一態様を適用することによって、セカンダリセル上のＵＬ−ＳＰＳ通信中においても、セカンダリセルの状態を適切に管理できるようになり、不用意な通信停止を防止することができる。
【００２６】
（第２の実施形態）
次に、本発明の一態様として、ＧＦに適用した場合の手順の例を第２の実施形態として説明する。
【００２７】
図４は、本実施形態における、各時間における基地局装置と移動局装置のメッセージおよびデータの送受信の流れと、ｓＣｅｌｌデアクティベーションタイマの管理方法の例を図示している。メッセージｍ４０１、ｍ４０３、ｍ４０６およびｍ４１０は、図２におけるメッセージｍ２０１、ｍ２０３、ｍ２０６およびｍ２１０と同様であり、説明を省略する。メッセージｍ２０２（ＲＲＣ  Ｒｅｃｏｎｆｉｇｕｒａｔｉｏｎ）は、ＳＣｅｌｌにＧＦを追加設定するために基地局装置から移動局装置に送信される。そして、メッセージｍ４０２で設定されたタイミング（ｔ１０、ｔ１１、ｔ１２、ｔ１３）で構成済み上りリンクグラントが発生する。なお、図４ではｔ１３までしか記載していないが、ｔ１３以降も次にＧＦが解放されるまで構成済み上りリンクグラントの発生は継続する。移動局装置は、構成済み上りリンクグラントが発生したら、ｓＣｅｌｌデアクティベーションタイマを再起動する。そして、時間ｔ５０にて基地局装置がＳＣｅｌｌをデアクティベートするメッセージｍ４１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ４１０を受信した移動局装置は、ＳＣｅｌｌのデアクティベートを行い、ｓＣｅｌｌＤｅａｃｔｉｖａｔｉｏｎＴｉｍｅｒを停止する。
【００２８】
なお、図５で示すように、構成済み上りリンクグラントが発生し、かつ基地局装置に上りリンクデータ送信（メッセージｍ４０６）を行ったタイミング（ｔ１２）でのみｓＣｅｌｌデアクティベーションタイマを再起動してもよい。また、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ、Ｃｏｎｆｉｇｕｒｅｄ  Ｇｒａｎｔ  Ｃｏｎｆｉｒｍａｔｉｏｎ  ＭＡＣ  ＣＥ）はこれに限るものではなく、同等の動作を指示したり応答する内容のメッセージであれば、それらを使用してもよい。また、メッセージｍ４０２または４０３、あるいはその両方の送受信タイミング（ｔ０２、ｔ０３）において、ｓＣｅｌｌデアクティベーションタイマの再起動を行ってもよい。
【００２９】
以上説明したとおり、本発明の一態様を適用することによって、セカンダリセル上のＧＦ通信中においても、セカンダリセルの状態を適切に管理できるようになり、不用意な通信停止を防止することができる。
【００３０】
（第３の実施形態）
次に、本発明の一態様として、ＵＬ−ＳＰＳ通信中においてｓＣｅｌｌデアクティベーションタイマを停止する手順について、第３の実施形態として説明する。
【００３１】
図６は、本実施形態における、各時間における基地局装置と移動局装置のメッセージおよびデータの送受信の流れと、ｓＣｅｌｌデアクティベーションタイマの管理方法の例を図示している。まず、時間ｔ０１にてＳＣｅｌｌのアクティベートを指示するメッセージｍ６０１（ＳＣｅｌｌ  Ａｃｔｉｖａｔｉｏｎ／Ｄｅａｃｔｉｖａｔｉｏｎ  ＭＡＣ  ＣＥ）が基地局装置から移動局装置に送信される。メッセージｍ６０１を受信した移動局装置は、ＳＣｅｌｌをアクティベートし、ｓＣｅｌｌデアクティベーションタイマを起動する。次に、時間ｔ０２にてＳＣｅｌｌにＵＬ−ＳＰＳを追加設定するためのメッセージｍ６０２（ＲＲＣ  Ｒｅｃｏｎｆｉｇｕｒａｔｉｏｎ）が基地局装置から移動局装置に送信される。メッセージｍ６０２を受信した移動局装置は、ＳＣｅｌｌ上にＵＬ−ＳＰＳを構成するための処理を行い、時間ｔ０３でメッセージｍ６０２の応答メッセージｍ６０３（ＲＲＣ  Ｒｅｃｏｎｆｉｇｕｒａｔｉｏｎ  Ｃｏｍｐｌｅｔｅ）を基地局装置に送信する。次に時間ｔ０４にて、ＳＣｅｌｌ上に設定されたＵＬ−ＳＰＳをアクティベートするためのレイヤ１下りリンク制御情報ｍ６０４が基地局装置から移動局装置に送信される。レイヤ１下りリンク制御情報ｍ６０４を受信した移動局装置は、ＵＬ−ＳＰＳの構成済み上りリンクグラントをアクティベートし、時間ｔ０５にて応答メッセージｍ６０５（Ｃｏｎｆｉｇｕｒｅｄ  Ｇｒａｎｔ  Ｃｏｎｆｉｒｍａｔｉｏｎ  ＭＡＣ  ＣＥ）を基地局装置に送信した後、ｓＣｅｌｌデアクティベーションタイマを停止し、起動／再起動禁止状態にする。ｓＣｅｌｌデアクティベーションタイマが起動／再起動禁止状態のときは、それが設定されているＳＣｅｌｌ上で、上りリンクデータおよび制御情報の送信、または下りリンクデータおよび制御情報の受信が行われた如何なる場合において、ｓＣｅｌｌデアクティベーションタイマの起動または再起動は行われない。そして、時間ｔ２０にてＳＣｅｌｌ上に設定されたＵＬ−ＳＰＳをデアクティベートするためのレイヤ1下りリンク制御情報ｍ６０８が基地局装置から移動局装置に送信されると、移動局装置はＳＣｅｌｌのＵＬ−ＳＰＳの構成済み上りリンクグラントをデアクティベートし、時間ｔ２１にて応答メッセージｍ６０５（Ｃｏｎｆｉｇｕｒｅｄ  Ｇｒａｎｔ  Ｃｏｎｆｉｒｍａｔｉｏｎ  ＭＡＣ  ＣＥ）を基地局装置に送信し、ｓＣｅｌｌデアクティベーションタイマの起動／再起動禁止状態を解除して起動する。その後、時間ｔ５０にて基地局装置がＳＣｅｌｌをデアクティベートするメッセージｍ６１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ６１０を受信した移動局装置は、ＳＣｅｌｌのデアクティベートを行い、ｓＣｅｌｌＤｅａｃｔｉｖａｔｉｏｎＴｉｍｅｒを停止する。
【００３２】
なお、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ、Ｃｏｎｆｉｇｕｒｅｄ  Ｇｒａｎｔ  Ｃｏｎｆｉｒｍａｔｉｏｎ  ＭＡＣ  ＣＥ）はこれに限るものではなく、同等の動作を指示したり応答する内容のメッセージであれば、それらを使用してもよい。
【００３３】
以上説明したとおり、本発明の一態様を適用することによって、セカンダリセル上のＵＬ−ＳＰＳ通信中においても、セカンダリセルの状態を適切に管理できるようになり、不用意な通信停止を防止することができる。
【００３４】
（第４の実施形態）
次に、本発明の一態様として、ＧＦ通信中においてｓＣｅｌｌデアクティベーションタイマを停止する手順について、第４の実施形態として説明する。
【００３５】
図７は、本実施形態における、各時間における基地局装置と移動局装置のメッセージおよびデータの送受信の流れと、ｓＣｅｌｌデアクティベーションタイマの管理方法の例を図示している。まず、時間ｔ０１にてＳＣｅｌｌのアクティベートを指示するメッセージｍ７０１（ＳＣｅｌｌ  Ａｃｔｉｖａｔｉｏｎ／Ｄｅａｃｔｉｖａｔｉｏｎ  ＭＡＣ  ＣＥ）が基地局装置から移動局装置に送信される。メッセージｍ７０１を受信した移動局装置は、ＳＣｅｌｌをアクティベートし、ｓＣｅｌｌデアクティベーションタイマを起動する。次に、時間ｔ０２にてＳＣｅｌｌにＧＦを追加設定するためのメッセージｍ７０２（ＲＲＣ  Ｒｅｃｏｎｆｉｇｕｒａｔｉｏｎ）が基地局装置から移動局装置に送信される。メッセージｍ７０２を受信した移動局装置は、ＳＣｅｌｌ上にＧＦを構成するための処理を行い、時間ｔ０３でメッセージｍ７０２の応答メッセージｍ７０３（ＲＲＣ  Ｒｅｃｏｎｆｉｇｕｒａｔｉｏｎ  Ｃｏｍｐｌｅｔｅ）を基地局装置に送信した後、ｓＣｅｌｌデアクティベーションタイマを停止し、起動／再起動禁止状態にする。ｓＣｅｌｌデアクティベーションタイマが起動／再起動禁止状態のときは、それが設定されているＳＣｅｌｌ上で、上りリンクデータおよび制御情報の送信、または下りリンクデータおよび制御情報の受信が行われた如何なる場合において、ｓＣｅｌｌデアクティベーションタイマの起動または再起動は行われない。そして、時間ｔ２０にてＳＣｅｌｌ上に設定されたＧＦを解放するためのレイヤ１下りリンク制御情報ｍ７０８が基地局装置から移動局装置に送信されると、移動局装置はＳＣｅｌｌに設定されたＧＦを解放し、時間ｔ２１にて応答メッセージｍ７０９（ＲＲＣ  Ｒｅｃｏｎｆｉｇｕｒａｔｉｏｎ  Ｃｏｍｐｌｅｔｅ）を基地局装置に送信し、ｓＣｅｌｌデアクティベーションタイマの起動／再起動禁止状態を解除して起動する。その後、時間ｔ５０にて基地局装置がＳＣｅｌｌをデアクティベートするメッセージｍ７１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ７１０を受信した移動局装置は、ＳＣｅｌｌのデアクティベートを行い、ｓＣｅｌｌＤｅａｃｔｉｖａｔｉｏｎＴｉｍｅｒを停止する。
【００３６】
なお、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ）はこれに限るものではなく、同等の動作を指示したり応答する内容のメッセージであれば、それらを使用してもよい。
【００３７】
以上説明したとおり、本発明の一態様を適用することによって、セカンダリセル上のＧＦ通信中においても、セカンダリセルの状態を適切に管理できるようになり、不用意な通信停止を防止することができる。
【００３８】
（第５の実施形態）
次に、本発明の一態様として、ＤＬ−ＳＰＳに適用した場合の手順の例を第５の実施形態として説明する。
【００３９】
図８は、本実施形態における、各時間における基地局装置と移動局装置のメッセージおよびデータの送受信の流れと、ｓＣｅｌｌデアクティベーションタイマの管理方法の例を図示している。まず、時間ｔ０１にてＳＣｅｌｌのアクティベートを指示するメッセージｍ８０１（ＳＣｅｌｌ  Ａｃｔｉｖａｔｉｏｎ／Ｄｅａｃｔｉｖａｔｉｏｎ  ＭＡＣ  ＣＥ）が基地局装置から移動局装置に送信される。メッセージｍ８０１を受信した移動局装置は、ＳＣｅｌｌをアクティベートし、ｓＣｅｌｌデアクティベーションタイマを起動する。次に、時間ｔ０２にてＳＣｅｌｌにＤＬ−ＳＰＳを追加設定するためのメッセージｍ８０２（ＲＲＣ  Ｒｅｃｏｎｆｉｇｕｒａｔｉｏｎ）が基地局装置から移動局装置に送信される。メッセージｍ８０２を受信した移動局装置は、ＳＣｅｌｌ上にＤＬ−ＳＰＳを構成するための処理を行い、時間ｔ０３でメッセージｍ８０２の応答メッセージｍ８０３（ＲＲＣ  Ｒｅｃｏｎｆｉｇｕｒａｔｉｏｎ  Ｃｏｍｐｌｅｔｅ）を基地局装置に送信する。そして、メッセージｍ８０２で設定されたタイミング（ｔ１０、ｔ１１、ｔ１２、ｔ１３）で構成済み下りリンクアサインメントが発生する。なお、図８ではｔ１３までしか記載していないが、ｔ１３以降も次にＤＬ−ＳＰＳが解放されるまで構成済み下りリンクアサインメントの発生は継続する。移動局装置は、構成済み下りリンクアサインメントが発生したら、ｓＣｅｌｌデアクティベーションタイマを再起動する。そして、時間ｔ５０にて基地局装置がＳＣｅｌｌをデアクティベートするメッセージｍ８１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ８１０を受信した移動局装置は、ＳＣｅｌｌのデアクティベートを行い、ｓＣｅｌｌＤｅａｃｔｉｖａｔｉｏｎＴｉｍｅｒを停止する。
【００４０】
なお、図９で示すように、構成済み下りリンクアサインメントが発生し、かつ基地局装置からの下りリンクデータ受信（メッセージｍ８０６）を行ったタイミング（ｔ１２）でのみｓＣｅｌｌデアクティベーションタイマを再起動してもよい。また、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ、Ｃｏｎｆｉｇｕｒｅｄ  Ｇｒａｎｔ  Ｃｏｎｆｉｒｍａｔｉｏｎ  ＭＡＣ  ＣＥ）はこれに限るものではなく、同等の動作を指示したり応答する内容のメッセージであれば、それらを使用してもよい。また、メッセージｍ８０２またはｍ８０３、あるいはその両方の送受信タイミング（ｔ０２、ｔ０３）において、ｓＣｅｌｌデアクティベーションタイマの再起動を行ってもよい。
【００４１】
以上説明したとおり、本発明の一態様を適用することによって、セカンダリセル上のＤＬ−ＳＰＳ通信中においても、セカンダリセルの状態を適切に管理できるようになり、不用意な通信停止を防止することができる。
【００４２】
（第６の実施形態）
次に、本発明の一態様として、ＤＬ−ＳＰＳ通信中においてｓＣｅｌｌデアクティベーションタイマを停止する手順について、第６の実施形態として説明する。
【００４３】
図１０は、本実施形態における、各時間における基地局装置と移動局装置のメッセージおよびデータの送受信の流れと、ｓＣｅｌｌデアクティベーションタイマの管理方法の例を図示している。まず、時間ｔ０１にてＳＣｅｌｌのアクティベートを指示するメッセージｍ１００１（ＳＣｅｌｌ  Ａｃｔｉｖａｔｉｏｎ／Ｄｅａｃｔｉｖａｔｉｏｎ  ＭＡＣ
ＣＥ）が基地局装置から移動局装置に送信される。メッセージｍ１００１を受信した移動局装置は、ＳＣｅｌｌをアクティベートし、ｓＣｅｌｌデアクティベーションタイマを起動する。次に、時間ｔ０２にてＳＣｅｌｌにＤＬ−ＳＰＳを追加設定するためのメッセージｍ１００２（ＲＲＣ  Ｒｅｃｏｎｆｉｇｕｒａｔｉｏｎ）が基地局装置から移動局装置に送信される。メッセージｍ１００２を受信した移動局装置は、ＳＣｅｌｌ上にＤＬ−ＳＰＳを構成するための処理を行い、時間ｔ０３でメッセージｍ１００２の応答メッセージｍ１００３（ＲＲＣ  Ｒｅｃｏｎｆｉｇｕｒａｔｉｏｎ  Ｃｏｍｐｌｅｔｅ）を基地局装置に送信した後、ｓＣｅｌｌデアクティベーションタイマを停止し、起動／再起動禁止状態にする。ｓＣｅｌｌデアクティベーションタイマが起動／再起動禁止状態のときは、それが設定されているＳＣｅｌｌ上で、上りリンクデータおよび制御情報の送信、または下りリンクデータおよび制御情報の受信が行われた如何なる場合において、ｓＣｅｌｌデアクティベーションタイマの起動または再起動は行われない。そして、時間ｔ２０にてＳＣｅｌｌ上に設定されたＤＬ−ＳＰＳを解放するためのレイヤ１下りリンク制御情報ｍ１００８が基地局装置から移動局装置に送信されると、移動局装置はＳＣｅｌｌに設定されたＤＬ−ＳＰＳを解放し、時間ｔ２１にて応答メッセージｍ１００９（ＲＲＣ  Ｒｅｃｏｎｆｉｇｕｒａｔｉｏｎ  Ｃｏｍｐｌｅｔｅ）を基地局装置に送信し、ｓＣｅｌｌデアクティベーションタイマの起動／再起動禁止状態を解除して起動する。その後、時間ｔ５０にて基地局装置がＳＣｅｌｌをデアクティベートするメッセージｍ１０１０（ＳＣｅｌｌ  Ａｃｔｉｖａｔｉｏｎ／Ｄｅａｃｔｉｖａｔｉｏｎ  ＭＡＣ  ＣＥ）を移動局装置に送信する。メッセージｍ１０１０を受信した移動局装置は、ＳＣｅｌｌのデアクティベートを行い、ｓＣｅｌｌＤｅａｃｔｉｖａｔｉｏｎＴｉｍｅｒを停止する。
【００４４】
なお、各メッセージ（ＳＣｅｌｌ  Ａｃｔｉｖａｔｉｏｎ／Ｄｅａｃｔｉｖａｔｉｏｎ  ＭＡＣ  ＣＥ、ＲＲＣ  Ｒｅｃｏｎｆｉｇｕｒａｔｉｏｎ、ＲＲＣ  Ｒｅｃｏｎｆｉｇｕｒａｔｉｏｎ  Ｃｏｍｐｌｅｔｅ）はこれに限るものではなく、同等の動作を指示したり応答する内容のメッセージであれば、それらを使用してもよい。
【００４５】
以上説明したとおり、本発明の一態様を適用することによって、セカンダリセル上のＤＬ−ＳＰＳ通信中においても、セカンダリセルの状態を適切に管理できるようになり、不用意な通信停止を防止することができる。
【００４６】
なお、本発明を適用する通信システム、基地局装置、移動局装置、通信方法は３ＧＰＰの第５世代通信規格に限定されず、他の通信システムで使用される通信規格に適用してもよい。
【００４７】
なお、以上で説明した移動局装置、基地局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５０】
また、移動局装置、基地局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００５１】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００５２】
本発明は、有線および無線での通信システムや通信装置に用いて好適である。
【符号の説明】
【００５３】
１０１…制御部
１０２…上位レイヤインタフェース部
１０３…上りリンクＰＤＵ構成部
１０４…送信処理部
１０５…サービングセル状態管理部
１０６…上りリンクリソース管理部
１０７…受信処理部
１０８…下りリンクＰＤＵ分離部
１０９…無線インタフェース部
１１０…下りリンクリソース管理部
【図１】
2019140452.tif 000003
【図２】
2019140452.tif 000004
【図３】
2019140452.tif 000005
【図４】
2019140452.tif 000006
【図５】
2019140452.tif 000007
【図６】
2019140452.tif 000008
【図７】
2019140452.tif 000009
【図８】
2019140452.tif 000010
【図９】
2019140452.tif 000011
【図１０】
2019140452.tif 000012